(57)【要約】【課題】動作モードの切り替えを容易にする。【解決手段】デジタルカメラ１２は、クレードル装置１４の設置面４８に、背面を対面させる充電姿勢、側面を対面させる通信姿勢、底面を対面させる再生姿勢、前面を対面させるＡＶ出力姿勢の各姿勢で設置される。デジタルカメラ１２は、その動作モードを、充電姿勢においては充電モードに、通信姿勢においては通信モードに、再生姿勢においては再生モードに、ＡＶ出力姿勢においてはＡＶ出力モードにそれぞれ切り替える。クレードル装置１４に設置されたデジタルカメラ１２の姿勢に応じてデジタルカメラ１２の動作モードが切り替えられるので、動作モードの切り替えが容易である。【選択図】        図５
2007028537.tif 000002
【特許請求の範囲】
【請求項１】
略直方体状のカメラ本体を持ち複数の動作モードで動作可能なデジタルカメラにおいて、
前記カメラ本体が載置されて設置される設置面を有し前記カメラ本体への給電を行うクレードル装置に対して、前記カメラ本体が設置されたかどうかを判定する設置状態判定手段と、
前記カメラ本体がその外周面のどの面が前記設置面と対面するように下向きにされて設置されるかという前記設置面に対する前記カメラ本体の設置姿勢を検出する設置姿勢検出手段と、
前記設置姿勢に応じて、前記動作モードを切り替える動作モード切替手段とを備えたことを特徴とするデジタルカメラ。
【請求項２】
前記動作モードには、前記クレードル装置からの給電を受けて前記カメラ本体に収納された二次電池への充電を行う充電モードと、前記カメラ本体内のメモリに記録された撮影画像を前記カメラ本体背面に設けられたディスプレイに再生表示する再生モードの少なくとも２つの動作モードが含まれており、
前記モード切替手段は、前記設置姿勢が前記カメラ本体の背面が前記設置面に向けて下向きにして前記カメラ本体の前面を上向きにする仰向け姿勢のときに前記充電モードへ移行させ、前記設置姿勢が前記カメラ本体の底面を前記設置面に向けて下向きにして前記カメラ本体の天面を上向きにする正姿勢のときに前記再生モードへ移行させることを特徴とする請求項１記載のデジタルカメラ。
【請求項３】
前記動作モードには、さらに、前記クレードル装置を介して前記カメラ本体内のメモリに記録された撮影画像を外部機器へ出力する出力モードが含まれており、
前記モード切替手段は、前記設置姿勢が前記仰向け姿勢及び前記正姿勢以外のときに前記出力モードへ移行させることを特徴とする請求項２記載のデジタルカメラ。
【請求項４】
前記外部機器は、外部モニタ，プリンタ，データストレージデバイスが含まれており、前記出力モードには、外部モニタへ前記撮影画像に対応するアナログの映像信号を出力する映像信号出力モードと、前記プリンタ又はデータストレージデバイスへ前記撮影画像のデジタルデータを転送するデータ転送モードとが含まれており、
前記モード切替手段は、前記設置姿勢が、前記カメラ本体の前面を前記設置面に向けて下向きにしてその背面を上向きにするうつ伏せ姿勢又は前記カメラ本体の側面を前記設置面に向けて下向きにする側方倒立姿勢のときに、前記映像信号出力モード又は前記データ転送モードのいずれかに移行させることを特徴とする請求項３記載のデジタルカメラ。
【請求項５】
前記カメラ本体の外周面のうち前記設置面と対向する各面には、それらの面が前記設置面と対向したときに前記モード切替手段によって選択される動作モードを表すマークが設けられていることを特徴とする請求項１〜４いずれか記載のデジタルカメラ。
【請求項６】
前記カメラ本体の外周面のうち前記設置面と対向する各面には、それらの面が前記設置面と対向したときに、前記設置面に設けられた第１コネクタに接続され、前記カメラ本体と前記クレードル装置とを電気的に接続するための第２コネクタが設けられていることを特徴とする請求項１〜５いずれか記載のデジタルカメラ。
【請求項７】
前記モード切替手段によって選択された動作モードを報知する報知手段を備えたことを特徴とする請求項１〜６いずれか記載のデジタルカメラ。
【請求項８】
前記報知手段は発光部を含んでおり、複数の動作モードに応じて前記発光部の点灯状態を変化させることを特徴とする請求項７記載のデジタルカメラ。
【請求項９】
前記報知手段はスピーカを含んでおり、複数の動作モードに応じて発する音を変化させることを特徴とすることを特徴とする請求項７又は８記載のデジタルカメラ。
【請求項１０】
前記報知手段は前記カメラ本体に設けられた表示パネルを含んでおり、この表示パネルに複数の動作モードに応じたアイコン又はメッセージを表示することを特徴とする請求項７〜９いずれか記載のデジタルカメラ。
【請求項１１】
略直方体状のカメラ本体を持ち複数の動作モードで動作可能なデジタルカメラと、前記カメラ本体が載置されて設置される設置面を有し前記カメラ本体への給電を行うクレードル装置とから構成されるカメラシステムにおいて、
前記カメラ本体が前記設置面へ設置されたかどうかを判定する設置状態判定手段と、
前記カメラ本体がその外周面のどの面が前記設置面と対面するように下向きにされて設置されるかという前記設置面に対する前記カメラ本体の設置姿勢を検出する設置姿勢検出手段と、
前記設置姿勢に応じて、前記動作モードを切り替える動作モード切替手段とを備えたことを特徴とするカメラシステム。
【請求項１２】
複数の動作モードで動作可能なデジタルカメラにおいて、
前記カメラ本体が載置されて設置される設置面を有し前記カメラ本体の所定の外周面を前記設置面と対面させるように下向きにした姿勢で前記カメラ本体が設置され前記カメラ本体への給電を行うクレードル装置に対して、前記カメラ本体が設置されたかどうかを判定する設置状態判定手段と、
前記カメラ本体が前記設置面に設置された状態において、前記設置面と直交する軸周りにおける前記設置面と前記カメラ本体の相対角度である設置角度を検出する設置角度検出手段と、
前記設置角度に応じて前記動作モードを切り替える動作モード切替手段とを備えたことを特徴とするデジタルカメラ。
【請求項１３】
前記カメラ本体の背面に撮影画像を表示するディスプレイを備えるとともに、
前記カメラ本体の前面を前記設置面に向けて前記背面を上向きにしたうつ伏せ姿勢で前記設置面に設置されることを特徴とする請求項１２記載のデジタルカメラ。
【請求項１４】
前記動作モードには、前記クレードル装置からの給電を受けて前記カメラ本体に収納された二次電池への充電を行う充電モードと、前記カメラ本体内のメモリに記録された撮影画像を前記カメラ本体背面に設けられたディスプレイに再生表示する再生モードと、前記クレードル装置を介して前記カメラ本体内のメモリに記録された撮影画像を外部機器へ出力する出力モードが含まれており、
前記モード切替手段は、第１〜第３の異なる設置角度に応じて前記充電、再生、出力の各動作モードを選択的に切り替えることを特徴とする請求項１２又は１３記載のデジタルカメラ。
【請求項１５】
複数の動作モードで動作可能なデジタルカメラと、前記カメラ本体が載置されて設置される設置面を有し前記カメラ本体の所定の外周面を前記設置面と対面させるように下向きにした姿勢で前記カメラ本体が設置され前記カメラ本体への給電を行うクレードル装置とから構成されるカメラシステムにおいて、
前記カメラ本体が前記設置面へ設置されたかどうかを判定する設置状態判定手段と、
前記カメラ本体が前記設置面に設置された状態において、前記設置面と直交する軸周りにおける前記設置面と前記カメラ本体の相対角度である設置角度を検出する設置角度検出手段と、
前記設置角度に応じて前記動作モードを切り替える動作モード切替手段とを備えたことを特徴とするカメラシステム。
【請求項１６】
前記設置角度検出手段は、前記デジタルカメラの前面に設けられた設置角度検出用マークと、前記設置面に設けられ、前記設置角度検出用マークを光学的に読み取るフォトセンサとからなることを特徴とする請求項１５記載のカメラシステム。
【請求項１７】
前記フォトセンサは複数個あり、それぞれのフォトセンサは、前記設置角度が変化したときに各々のフォトセンサが選択的に前記設置角度検出用マークと対面するように、円形状に配列されていることを特徴とする請求項１６記載のカメラシステム。
【請求項１８】
前記設置角度検出手段は、前記設置面上に配置され、前記デジタルカメラの前面に設けられた凹部又は凸部と嵌合して前記デジタルカメラと連結するとともにその連結状態を保ちながら前記デジタルカメラが回転して前記設置角度を変化させることができるように前記軸周りに回動自在に設けられた連結部と、この連結部の基準角度からの回転角度を前記デジタルカメラへ通知する通知手段とからなることを特徴とする請求項１５〜１７いずれか記載のカメラシステム。
【発明の詳細な説明】
【技術分野】
【０００１】
本発明は、複数の動作モードを備えるとともに、クレードル装置に設置されることで電力の受給が可能なデジタルカメラ、及び、デジタルカメラとクレードル装置とから構成されるカメラシステムに関するものである。
【背景技術】
【０００２】
ＣＣＤやＣＭＯＳなどのイメージセンサを備え、被写体像をデジタルな画像データとして記録するデジタルカメラが広く普及している。デジタルカメラの中には、クレードル装置と呼ばれる設置台に設置することで、外部電力の供給を受けたり、パソコンやプリンタなどの外部機器との間でデータの送受信を行えるものもある（下記特許文献１参照）。
【特許文献１】特開２００５−０９４４７０
【発明の開示】
【発明が解決しようとする課題】
【０００３】
しかしながら、従来は、外部機器との間でデータの送受信を行う場合、デジタルカメラを上述したようなクレードル装置に設置するとともに、デジタルカメラ側の操作部材を操作して、デジタルカメラをデータ送受信用の動作モードに切り替える必要があり面倒であった。
【０００４】
本発明は、動作モードの切り替えが簡単で、使い勝手のよいデジタルカメラ及びカメラシステムを提供することを目的としている。
【課題を解決するための手段】
【０００５】
上記目的を達成するために、本発明のデジタルカメラ及びカメラシステムは、略直方体状のカメラ本体を持ち複数の動作モードで動作可能なデジタルカメラにおいて、前記カメラ本体が載置されて設置される設置面を有し前記カメラ本体への給電を行うクレードル装置に対して、前記カメラ本体が設置されたかどうかを判定する設置状態判定手段と、前記カメラ本体がその外周面のどの面が前記設置面と対面するように下向きにされて設置されるかという前記設置面に対する前記カメラ本体の設置姿勢を検出する設置姿勢検出手段と、前記設置姿勢に応じて、前記動作モードを切り替える動作モード切替手段とを備えたことを特徴としている。
【０００６】
前記動作モードには、前記クレードル装置からの給電を受けて前記カメラ本体に収納された二次電池への充電を行う充電モードと、前記カメラ本体内のメモリに記録された撮影画像を前記カメラ本体背面に設けられたディスプレイに再生表示する再生モードの少なくとも２つの動作モードが含まれており、前記モード切替手段は、前記設置姿勢が前記カメラ本体の背面が前記設置面に向けて下向きにして前記カメラ本体の前面を上向きにする仰向け姿勢のときに前記充電モードへ移行させ、前記設置姿勢が前記カメラ本体の底面を前記設置面に向けて下向きにして前記カメラ本体の天面を上向きにする正姿勢のときに前記再生モードへ移行させることが好ましい。
【０００７】
また、前記動作モードには、さらに、前記クレードル装置を介して前記カメラ本体内のメモリに記録された撮影画像を外部機器へ出力する出力モードが含まれており、前記モード切替手段は、前記設置姿勢が前記仰向け姿勢及び前記正姿勢以外のときに前記出力モードへ移行させることが好ましい。
【０００８】
さらに、前記外部機器は、外部モニタ，プリンタ，データストレージデバイスが含まれており、前記出力モードには、外部モニタへ前記撮影画像に対応するアナログの映像信号を出力する映像信号出力モードと、前記プリンタ又はデータストレージデバイスへ前記撮影画像のデジタルデータを転送するデータ転送モードとが含まれており、前記モード切替手段は、前記設置姿勢が、前記カメラ本体の前面を前記設置面に向けて下向きにしてその背面を上向きにするうつ伏せ姿勢又は前記カメラ本体の側面を前記設置面に向けて下向きにする側方倒立姿勢のときに、前記映像信号出力モード又は前記データ転送モードのいずれかに移行させることが好ましい。
【０００９】
また、前記カメラ本体の外周面のうち前記設置面と対向する各面には、それらの面が前記設置面と対向したときに前記モード切替手段によって選択される動作モードを表すマークが設けられていることが好ましい。
【００１０】
さらに、前記カメラ本体の外周面のうち前記設置面と対向する各面には、それらの面が前記設置面と対向したときに、前記設置面に設けられた第１コネクタに接続され、前記カメラ本体と前記クレードル装置とを電気的に接続するための第２コネクタが設けられていることが好ましい。
【００１１】
また、前記モード切替手段によって選択された動作モードを報知する報知手段を備えていることが好ましい。
【００１２】
前記報知手段は発光部を含んでおり、複数の動作モードに応じて前記発光部の点灯状態を変化させるものでもよい。また、前記報知手段はスピーカを含んでおり、複数の動作モードに応じて発する音を変化させるものでもよい。さらに、前記報知手段は前記カメラ本体に設けられた表示パネルを含んでおり、この表示パネルに複数の動作モードに応じたアイコン又はメッセージを表示するものでもよい。
【００１３】
また、本発明のカメラシステムは、略直方体状のカメラ本体を持ち複数の動作モードで動作可能なデジタルカメラと、前記カメラ本体が載置されて設置される設置面を有し前記カメラ本体への給電を行うクレードル装置とから構成されるカメラシステムにおいて、前記カメラ本体が前記設置面へ設置されたかどうかを判定する設置状態判定手段と、前記カメラ本体がその外周面のどの面が前記設置面と対面するように下向きにされて設置されるかという前記設置面に対する前記カメラ本体の設置姿勢を検出する設置姿勢検出手段と、  前記設置姿勢に応じて、前記動作モードを切り替える動作モード切替手段とを備えたことを特徴としている。
【００１４】
また、本発明のデジタルカメラは、複数の動作モードで動作可能なデジタルカメラにおいて、前記カメラ本体が載置されて設置される設置面を有し前記カメラ本体の所定の外周面を前記設置面と対面させるように下向きにした姿勢で前記カメラ本体が設置され前記カメラ本体への給電を行うクレードル装置に対して、前記カメラ本体が設置されたかどうかを判定する設置状態判定手段と、前記カメラ本体が前記設置面に設置された状態において、前記設置面と直交する軸周りにおける前記設置面と前記カメラ本体の相対角度である設置角度を検出する設置角度検出手段と、前記設置角度に応じて前記動作モードを切り替える動作モード切替手段とを備えたことを特徴としている。
【００１５】
前記カメラ本体の背面に撮影画像を表示するディスプレイを備えるとともに、前記カメラ本体の前面を前記設置面に向けて前記背面を上向きにしたうつ伏せ姿勢で前記設置面に設置されることが好ましい。
【００１６】
前記動作モードには、前記クレードル装置からの給電を受けて前記カメラ本体に収納された二次電池への充電を行う充電モードと、前記カメラ本体内のメモリに記録された撮影画像を前記カメラ本体背面に設けられたディスプレイに再生表示する再生モードと、前記クレードル装置を介して前記カメラ本体内のメモリに記録された撮影画像を外部機器へ出力する出力モードが含まれており、前記モード切替手段は、第１〜第３の異なる設置角度に応じて前記充電、再生、出力の各動作モードを選択的に切り替えることが好ましい。
【００１７】
また、本発明のカメラシステムは、複数の動作モードで動作可能なデジタルカメラと、前記カメラ本体が載置されて設置される設置面を有し前記カメラ本体の所定の外周面を前記設置面と対面させるように下向きにした姿勢で前記カメラ本体が設置され前記カメラ本体への給電を行うクレードル装置とから構成されるカメラシステムにおいて、前記カメラ本体が前記設置面へ設置されたかどうかを判定する設置状態判定手段と、前記カメラ本体が前記設置面に設置された状態において、前記設置面と直交する軸周りにおける前記設置面と前記カメラ本体の相対角度である設置角度を検出する設置角度検出手段と、前記設置角度に応じて前記動作モードを切り替える動作モード切替手段とを備えたことを特徴としている。
【００１８】
前記設置角度検出手段は、前記デジタルカメラの前面に設けられた設置角度検出用マークと、前記設置面に設けられ、前記設置角度検出用マークを光学的に読み取るフォトセンサとからなるものでもよい。
【００１９】
また、前記フォトセンサは複数個あり、それぞれのフォトセンサは、前記設置角度が変化したときに各々のフォトセンサが選択的に前記設置角度検出用マークと対面するように、円形状に配列されているものでもよい。
【００２０】
さらに、前記設置角度検出手段は、前記設置面上に配置され、前記デジタルカメラの前面に設けられた凹部又は凸部と嵌合して前記デジタルカメラと連結するとともにその連結状態を保ちながら前記デジタルカメラが回転して前記設置角度を変化させることができるように前記軸周りに回動自在に設けられた連結部と、この連結部の基準角度からの回転角度を前記デジタルカメラへ通知する通知手段とからなるものでもよい。
【発明の効果】
【００２１】
本発明によれば、クレードル装置に設置されたデジタルカメラの設置姿勢や設置角度に応じてデジタルカメラの動作モードが切り替えられるので、動作モードの切り替えが簡単で、使い勝手がよい。
【発明を実施するための最良の形態】
【００２２】
図１、図２に、本発明のカメラシステムを示す。カメラシステム１０は、デジタルカメラ１２と、このデジタルカメラ１２が設置されるクレードル装置１４とから構成される。デジタルカメラ１２のカメラボディは略直方体形状に形成され、前面には撮影レンズ１６、マイク１８、ストロボ発光部２０が設けられており、上面にはシャッタボタン２２、パイロットランプ２４が設けられている。
【００２３】
デジタルカメラ１２を静止画撮影モードにセットしてシャッタボタン２２を押下することで静止画の撮影が行われ、撮影レンズ１６を通して得られる１画面分の被写体像が画像データに変換された後、メモリカード２６（図４参照）に記憶される。また、デジタルカメラ１２を動画撮影モードにセットしてシャッタボタン２２を押下すると動画の撮影が行われる。動画の撮影では、被写体の動画像とともにマイク１８から周囲の音声が収録される。
【００２４】
ストロボ発光部２０は、撮影時の被写体輝度が低い場合に発光して、被写体を照明する。パイロットランプ２４は、発光色を、赤、青、緑、黄の各色に切り替え可能なＬＥＤから構成される。パイロットランプ２４は、デジタルカメラ１２の動作モードに応じて発光色を切り替えることで、現在選択されている動作モードをユーザーに報知する。
【００２５】
デジタルカメラ１２の背面には、ＬＣＤ２８、スピーカ３０、操作部３４が設けられている。ＬＣＤ２８には、静止画撮影モード並びに動画撮影モードにおいて被写体のスルー画像が表示される他、撮影済みの画像を再生表示する再生画面や、各種設定を行うためのメニュー画面など各種画面が表示される。スピーカ３０は、動画再生時に音声の出力を行う。操作部３４は、デジタルカメラ１２の電源のオンオフを行うための電源ボタン３６や、ズーム倍率を調節するためのズームボタン３８、メニュー画面内に表示されるカーソルを移動させるためのカーソルボタン３９、デジタルカメラ１２の動作モードを切り替えるためのモード切り替えボタン４０を備えている。
【００２６】
デジタルカメラ１２は、前述した静止画撮影モード、動画撮影モードの他、撮影された動画や静止画の再生をする再生モード、各種設定を行うメニューモード、パソコンやプリンタなどとの間でデータの送受信を行う通信モード、テレビなどの外部モニタへ撮影された動画や静止画を出力するＡＶ出力モードなど各種動作モードを備え、モード切り替えボタン４０を押下する毎に各動作モード間の切り替えを行うことができる。また、詳しくは後述するが、カメラシステム１０では、クレードル装置１４に設置されたデジタルカメラ１２の姿勢に応じて自動的に動作モードが切り替えられる。
【００２７】
クレードル装置１４は、薄型の略直方体形状に形成されている。クレードル装置１４の側面には、外部電源に接続され外部電源から電力を受給するための電源ケーブル４２と、パソコンやプリンタに接続されこれらとの間で各種情報の送受信を行うための通信ケーブル４４と、外部モニタに接続され外部モニタで再生する映像信号や音声信号を出力するための転送ケーブル４６とが接続されている。クレードル装置１４の上面は設置面４８となっており、ここにデジタルカメラ１２が設置される。
【００２８】
クレードル装置１４は、デジタルカメラ１２が設置されたことを検知すると、デジタルカメラ１２に電力の供給を行う無接点電磁誘導方式の電力供給器として機能する。この電力により、デジタルカメラ１２の駆動や、デジタルカメラ１２の充電池８４（図４参照）の充電が行われる。また、クレードル装置１４は、デジタルカメラ１２がパソコンやプリンタとの間で行うデータ通信の中継器としても機能する。
【００２９】
設置面４８は平坦に形成され、デジタルカメラ１２は、図３（Ａ）に示す、充電姿勢、同図（Ｂ）に示す通信姿勢、同図（Ｃ）に示す再生姿勢、同図（Ｄ）に示すＡＶ出力姿勢の各姿勢で設置面４８に設置される。充電姿勢はデジタルカメラ１２の背面を設置面４８に対面させた姿勢であり、通信姿勢はデジタルカメラ１２の側面を設置面４８に対面させた姿勢であり、再生姿勢はデジタルカメラ１２の底面を設置面４８に対面させた姿勢であり、ＡＶ出力姿勢はデジタルカメラ１２の前面を設置面４８に対面させた姿勢である。
【００３０】
図４に、カメラシステム１０の構成を表すブロック図を示す。デジタルカメラ１２の内部にはＣＰＵ５０が設けられ、データバス５２を介してデジタルカメラ１２の各部と接続されている。ＣＰＵ５０は、ＲＯＭ５４に記憶された制御プログラムを作業用のメモリであるＲＡＭ５６に読み出し、読み出した制御プログラムに基づいて接続された各部を駆動制御する。
【００３１】
撮影レンズ１６の背後には、絞り５８、ＣＣＤ６０が並べて配置されている。撮影レンズ１６にはレンズモータ６２が接続され、絞り５８にはアイリスモータ６４が接続されている。レンズモータ６２は、ズームボタン３８の操作に連動して、撮影レンズ１６のズームレンズをワイド側、あるいはテレ側に移動させることによってズーム倍率の変倍を行う。また、被写体距離やズームレンズの変倍に応じて撮影レンズ１６のフォーカスレンズを移動させ、撮影条件が最適となるように焦点調整を行う。アイリスモータ６４は、絞り５８を動作させて露出調整を行う。
【００３２】
ＣＣＤ６０は、周知のように、受光量に応じた電荷を蓄積する複数の受光素子を備え、撮像により各受光素子に蓄積された電荷を撮像信号として出力する。ＣＣＤ６０には、ＣＰＵ５０によって制御されるタイミングジェネレータ（ＴＧ）６６が接続され、このＴＧ６６から入力されるタイミング信号（クロックパルス）により駆動される。ＣＣＤ６０は、デジタルカメラ１２が静止画撮影モード、もしくは、動画撮影モードにセットされるとスルー画として撮像を開始し、スルー画の撮像中にシャッタボタン２２が押下されると記録用の本画像として撮像を行う。
【００３３】
ＣＣＤ６０により取得された撮像信号は、相関二重サンプリング回路（ＣＤＳ）６８に入力され、ＣＣＤ６０の各受光素子の蓄積電荷量に正確に対応したＲ，Ｇ，Ｂの画像データとして出力される。ＣＤＳ６８から出力された画像データは、増幅器（ＡＭＰ）７０で増幅され、Ａ／Ｄ７２でデジタルの画像データに変換される。Ａ／Ｄ７２から出力された画像データは、ＲＡＭ５６に一旦格納される。
【００３４】
ＡＥ／ＡＦ検出回路７４は、ＲＡＭ５６に記憶された画像データに基づいて、ＣＣＤ６０の露出（電子シャッタのスピード）及び絞り５８の絞り値が撮影に適切か否かを検出するとともに、撮影レンズ１６の焦点調整が撮影に適切か否かを検出する。ＡＥ／ＡＦ検出回路７４は、デジタルカメラ１２が静止画撮影モード、もしくは動画撮影モードにセットされると、データバス５２を介してＣＰＵ５０に検出結果を逐次送信する。ＣＰＵ５０は、ＡＥ／ＡＦ検出回路７４から送信される検出結果に基づいて、撮影レンズ１６、絞り５８、及びＣＣＤ６０の動作を制御する。
【００３５】
画像信号処理回路７６は、ＲＡＭ５６に記憶された画像データに対して、階調変換、ホワイトバランス補正、γ補正処理などの各種画像処理を施す。画像信号処理回路７６にて各種画像処理の施された後、スルー画として取得された画像データはＬＣＤ２８に表示され、本画像として取得された画像データはメモリカード２６に記録される。
【００３６】
音声処理回路７６には、マイク１８とスピーカ３０とが接続されている。音声処理回路７６は、動画の撮影時にマイク１８によって取得された音声をＡ／Ｄ変換してデジタルの音声データとした後、この音声データを画像データと関連づけてメモリカード２６に記録する。また、動画再生時に、メモリカード２６に記録された音声データをＤ／Ａ変換し、スピーカ３０に音声を出力させる。
【００３７】
無線通信部７９は、ＣＰＵ５０に制御され、クレードル装置１４との間で行われる画像や音声など各種情報の送受信を中継する。ＣＰＵ５０は、通信モードにおいて、送信対象の画像データもしくは音声データをメモリカード２６から読み出し、無線通信部７９を介してクレードル装置１４へ向けて送信する。また、ＣＰＵ５０は、通信モードにおいて、クレードル装置１４から送信されたデジタルな画像データもしくは音声データを無線通信部７９を介して受信し、受信したデータをＬＣＤ２８に再生表示もしくはメモリカード２６に記録する。一方、ＣＰＵ５０は、ＡＶ出力モードにおいて、送信対象の画像データもしくは音声データをメモリカード２６から読み出した後、このデータを外部モニタで再生可能なようにアナログの音声信号もしくは映像信号に変換して、無線通信部７９を介してクレードル装置１４へ向けて送信する。
【００３８】
交流直流変換回路８０には二次コイル８２が接続されている。二次コイル８２は、クレードル装置１４が発生する磁界を受けて起電力を発生する。この電力は、交流直流変換回路８０によって交流から直流に変換される。変換された直流電力は、充電モードにおいては充電池８４の充電に用いられ、充電モード以外のモードではデジタルカメラ１２の各部を駆動するために用いられる。
【００３９】
また、交流直流変換回路８０には、電流検知回路８６が接続されている。電流検知回路８６は、交流直流変換回路８０によって変換された直流電流を検出すると電流検出信号をＣＰＵ５０へ送信する。ＣＰＵ５０は、この電流検出信号が入力されている場合、デジタルカメラ１２がクレードル装置１４に設置された設置状態であると判定する。
【００４０】
姿勢検出部８８は、ジャイロセンサなどによって構成される姿勢検出センサを備え、デジタルカメラの姿勢を検出してこの姿勢情報をＣＰＵ５０に供給する。ＣＰＵ５０は、前述した設置状態であると判定された場合、この姿勢情報に基づいて、デジタルカメラ１２の動作モード、並びに、パイロットランプの発光色を切り替える。
【００４１】
ＣＰＵ５０は、デジタルカメラ１２が充電姿勢のときにデジタルカメラ１２を充電モードにセットし、パイロットランプ２４を赤色に点灯させる。同様に、通信姿勢のときにはデジタルカメラ１２を通信モードにセットしてパイロットランプ２４を青色に点灯させ、再生姿勢のときにはデジタルカメラ１２を通信モードにセットしてパイロットランプ２４を緑色に点灯させ、ＡＶ出力姿勢のときにはＡＶ出力モードにセットしてパイロットランプ２４を黄色に点灯させる。
【００４２】
他方、クレードル装置１４には、磁気検出回路９０、発信回路９２、無線通信部９４が設けられている。磁気検出回路９０は、デジタルカメラ１２に内蔵されたマグネット９６からの磁気を検出し、この信号を発信回路９２に送信する。マグネット９６、磁気検出回路９０は、設置状態においては磁気の検出が行われ、設置状態でない場合は磁気の検出が行われないようにその仕様が決定される。
【００４３】
発信回路９２は、磁気検出回路９０からの信号に基づき、磁気検出回路９０が磁気を検出している間、すなわち、デジタルカメラ１２が設置状態である場合に作動する。発信回路９２には、電源ケーブル４２、一次コイル９８が接続される。発信回路９２は、外部電源から電源ケーブル４２を介して供給された電力を、一次コイル９８に流通させることで一次コイル９８に磁界を発生させる。この磁界がデジタルカメラ１２の二次コイル８２に電磁誘導により磁気結合され、二次コイル８２に起電力が生じる。
【００４４】
無線通信部９４は、デジタルカメラ１２の無線通信部７９と無線接続される他、通信ケーブル４４を介してパソコンやプリンタと接続され、また、転送ケーブル４６を介して外部モニタと接続されている。そして、無線通信部９４は、パソコンやプリンタとデジタルカメラ１２との間で行われる画像データや音声データの送受信を中継するとともに、デジタルカメラ１２が外部モニタに対して行う映像信号や音声信号の出力を中継する
【００４５】
以下、上記構成によるカメラシステム１０の作用について、図５に示すフローチャートをもとに説明する。デジタルカメラ１２は、図３（Ａ）に示す、充電姿勢、同図（Ｂ）に示す通信姿勢、同図（Ｃ）に示す再生姿勢、同図（Ｄ）に示すＡＶ出力姿勢の各姿勢で設置面４８に設置される。
【００４６】
デジタルカメラ１２がクレードル装置１４に設置されるとクレードル装置１４からデジタルカメラ１２へ電力の供給が開始される。デジタルカメラ１２のＣＰＵ５０は、この電力の供給を検出することで、クレードル装置１４に設置された設置状態であるか否かを判定する。設置状態であると判定された場合、デジタルカメラ１２が、充電、通信、再生、ＡＶ出力のいずれの姿勢であるかが姿勢検出部８８によって検出される。
【００４７】
そして、充電姿勢であると検出された場合は、デジタルカメラ１２が充電モードにセットされ、クレードル装置１４から供給された電力により充電池８４の充電が行われる。通信姿勢であると検出された場合は、デジタルカメラ１２が通信モードにセットされ、通信ケーブル４４を介して接続されたパソコンやプリンタとの間でデータの送受信を行うことができる。再生姿勢であると検出された場合は、デジタルカメラ１２が再生モードにセットされ、撮影済み画像の再生を行うことができる。ＡＶ出力姿勢であると検出された場合は、デジタルカメラ１２がＡＶ出力モードにセットされ、転送ケーブル４６を介して接続された外部モニタに映像信号や音声信号が出力され、外部モニタを用いて撮影済み画像の再生を行うことができる。
【００４８】
また、充電モードではパイロットランプ２４が赤色に点灯され、通信モードではパイロットランプ２４が青色に点灯され、再生モードではパイロットランプ２４が緑色に点灯され、ＡＶ出力モードではパイロットランプ２４が黄色に点灯される。さらに、通信、再生、ＡＶ出力の各モードにおいては、デジタルカメラ１２の駆動に必要な電力がクレードル装置１４から供給される。
【００４９】
このように、カメラシステム１０では、クレードル装置に設置されたデジタルカメラの姿勢によってデジタルカメラの動作モードを切り替えるようにしたので、動作モードの切り替えが簡単である。また、パイロットランプ２４の発光色よってデジタルカメラ１２の動作モードを知ることができるため便利である。
【００５０】
なお、各部の構成は上記実施形態に限定されるものではなく、例えば、図６に示すカメラシステム１００のように、設置姿勢と動作モードとの関係を分かりやすくするための案内マークを設けてもよい。なお、図６以降の図面においては上述した実施形態と同様の部材については同様の符号を付して説明を省略している。
【００５１】
図６において、カメラシステム１００は、デジタルカメラ１１２と、クレードル装置１１４とから構成されている。このカメラシステム１００には、案内マークとしてガイドマーク１１６、１１８、１２０と、充電マーク１２２、１２４と、通信マーク１２６、１２８と、再生マーク１３０、１３２と、ＡＶ出力マーク１３４、１３６とが設けられている。
【００５２】
ガイドマーク１１６、１１８、１２０は、矩形の枠形状であり、クレードル装置１１４の設置面１４８に設けられる。ガイドマーク１１６は、デジタルカメラ１１２の前面及び背面の形状に対応しており、充電姿勢及びＡＶ出力姿勢においては、デジタルカメラ１１２の前面もしくは背面が、ガイドマーク１１６に重なり合うようになっている。同様に、ガイドマーク１１８は、デジタルカメラ１１２の側面の形状に対応しており、通信姿勢においては、デジタルカメラ１１２の側面がガイドマーク１１８に重なり合うようになっている。さらに、ガイドマーク１２０は、デジタルカメラ１１２の底面の形状に対応しており、再生姿勢においては、デジタルカメラ１１２の底面がガイドマーク１２０に重なり合うようになっている。
【００５３】
一方、充電、通信、再生、ＡＶ出力の各マークは、デジタルカメラ１１２とクレードル装置１１４の設置面１４８とにそれぞれ１つずつ設けられる。そして、充電マーク１２２、１２４は、充電姿勢にて対面するように設けられ、通信マーク１２６、１２８は、通信姿勢にて対面するように設けられ、再生マーク１３０、１３２は、再生姿勢にて対面するように設けられ、ＡＶ出力マーク１３４、１３６は、ＡＶ出力姿勢にて対面するように設けられている。
【００５４】
このような案内マークを設けることで、ユーザーは案内マークを確認しながらデジタルカメラを設置出来るので便利である。なお、ガイドマーク、もしくは、充電、通信、再生、ＡＶ出力の各マークのうち一方のみを設けてもよい。また、デジタルカメラの各面と、これら各面に対応するガイドマーク内とを同じ色に塗装するといったことも考えられる。
【００５５】
なお、上記実施形態では、デジタルカメラとクレードル装置とが非接触の状態でクレードル装置からデジタルカメラに電力の供給が行われる無接点電磁誘導方式を例に説明をしたが、例えば、図７に示すカメラシステム１５０のように、デジタルカメラ１５２とクレードル装置１５４とを接触させた状態でクレードル装置１５４からデジタルカメラ１５２に電力を供給してもよい。
【００５６】
図７において、クレードル装置１５４の設置面１５６にはコネクタ１５８が設けられている。他方、デジタルカメラ１５２の背面には充電姿勢においてコネクタ１５８と当接するコネクタ１６０が設けられている。また、デジタルカメラ１５２の側面には通信姿勢においてコネクタ１５８と当接するコネクタ１６２が設けられ、底面には再生姿勢においてコネクタ１５８と当接するコネクタ１６４が設けられ、前面にはＡＶ出力姿勢においてコネクタ１５８と当接するコネクタ１６６が設けられている。
【００５７】
各設置姿勢において、クレードル装置１５４のコネクタ１５８に、デジタルカメラ１５２のコネクタ１６０、１６２、１６４、１６６が選択的に当接することによって、クレードル装置１５４とデジタルカメラ１５２とが電気的に接続され、クレードル装置１５４からデジタルカメラ１５２に電力が供給される。このように、コネクタを介して電力の供給を行うことで、上述した実施形態のように非接触にて電力の供給を行う場合と比較して、電力を供給するための機構を簡略化できるので小型化や低コスト化に貢献できる。
【００５８】
なお、コネクタを介してデジタルカメラとクレードル装置とを接続する場合、コネクタを介して電力を供給するだけでなく、コネクタを介してデジタルカメラとクレードル装置との間で各種情報の送受信を行うといったことも可能である。こうすれば、上記実施形態のように無線通信により各種情報の送受信を行う場合と比較して通信を行うための機構を簡略化できるので小型化や低コスト化に貢献できる。
【００５９】
また、コネクタを介してデジタルカメラとクレードル装置とを接続する場合、デジタルカメラに設けられたコネクタのうちいずれがクレードル装置のコネクタに当接しているかを調べることによってデジタルカメラの設置姿勢を検出するといったことも考えられる。こうすれば、上記実施形態のようにジャイロセンサなどの姿勢検出センサにより設置姿勢と検出する場合と比較して、姿勢を検出するための機構を簡略化できるので小型化や低コスト化に貢献できる。
【００６０】
なお、上記実施形態においては、クレードル装置の設置面、及び、各設置姿勢においてこの設置面と対向するデジタルカメラの各外周面とがともに平面である例で説明をしたが、本発明はこれに限定されるものではない。例えば、充電、通信、再生、ＡＶ出力の各姿勢において、所定の凹部と所定の凸部とが係合するように、デジタルカメラの外面とクレードル装置の設置面とに凹部と凸部とを設けてもよい。こうすることで、デジタルカメラの設置姿勢がユーザーに分かりやすくなる。また、クレードル装置からデジタルカメラが滑り落ちるといった事故なども防止できる。さらに、この場合、凹部と凸部との係合状態を調べることでデジタルカメラの姿勢を検知することも可能である。もちろん、上述した凹部と凸部とに加えて案内マークを設けてもよい。
【００６１】
また、上記実施形態では、設置状態において、デジタルカメラの背面が設置面と対向する場合にデジタルカメラを充電モードにセットする例で説明をしたが、デジタルカメラの背面以外の外周面が設置面と対向する場合にデジタルカメラを充電モードにセットしてもよい。同様に、デジタルカメラの側面以外の外周面が設置面と対向した場合にデジタルカメラを通信モードにセットしたり、底面以外の外周面が設置面と対向した場合に再生モードにセットしたり、前面以外の外周面が設置面と対向した場合にＡＶ出力モードにセットすることも可能である。設置状態において設置面と対向するデジタルカメラの外周面と、選択される動作モードとの対応関係は適宜変更することができる。
【００６２】
なお、上記実施形態では、クレードル装置に設置されたデジタルカメラの設置姿勢に応じて動作モードを切り替える例で説明をしたが、クレードル装置に設置されたデジタルカメラの設置角度に応じて動作モードを切り替えるようにしてもよい。この場合、図８に示すカメラシステム２００のように、前面がクレードル装置２０２の設置面２０４と対面するようにデジタルカメラ２０６を設置し、この設置面２０４上でデジタルカメラ２０６を回転させることによって、デジタルカメラ２０６の動作モードを切り替える。
【００６３】
図８において、デジタルカメラ２０６の前面には姿勢検出用マーク２０８が設けられている。また、クレードル装置２０２は略円盤形状に形成され、その上面である設置面２０４にはフォトセンサ２１０ａ〜２１０ｄが円形状に配列されている。そして、デジタルカメラ２０６は、図９（Ａ）に示す、設置角度検出用マーク２０８がフォトセンサ２１０ａを覆う充電角度、同図（Ｂ）に示す、設置角度検出用マーク２０８がフォトセンサ２１０ｂを覆う通信角度、同図（Ｃ）に示す、設置角度検出用マーク２０８がフォトセンサ２１０ｃを覆う再生角度、同図（Ｄ）に示す、設置角度検出用マーク２０８がフォトセンサ２１０ｄを覆うＡＶ出力角度の各設置角度にて設置面２０４に設置される。
【００６４】
このカメラシステム２００の構成を表す図１０において、クレードル装置２０２の内部には、フォトセンサ２１０ａ〜２１０ｄが接続された設置角度検出部２１２が設けられている。設置角度検出部２１２は、フォトセンサ２１０ａが設置角度検出用マーク２０８を検出した際に、デジタルカメラ２０６が充電角度であることを示す設置角度情報を無線通信部９４を介してデジタルカメラ２０６へ送る。同様に、設置角度検出部２１２は、フォトセンサ２１０ｂが設置角度検出用マーク２０８を検出した際にデジタルカメラ２０６が通信角度であることを示す設置角度情報を送り、フォトセンサ２１０ｃが設置角度検出用マーク２０８を検出した際にデジタルカメラ２０６が再生角度であることを示す設置角度情報を送り、フォトセンサ２１０ｄが設置角度検出用マーク２０８を検出した際にデジタルカメラ２０６がＡＶ出力角度であることを示す設置角度情報を送る。
【００６５】
また、設置角度検出部２１２は、発信回路２１４に接続されており、フォトセンサ２１０ａ〜２１０ｄのいずれかが設置角度検出用マークを検出した場合にこの信号を発信回路２１４に送る。発信回路２１４は、この信号が入力されている間、すなわち、デジタルカメラ２０６が設置状態である場合に作動する。これにより、デジタルカメラ２０６へ電力が供給される。
【００６６】
デジタルカメラ２０６のＣＰＵ２１６は、クレードル装置２０２から送られた設置角度情報に基づいて、デジタルカメラ２０６の動作モードを切り替える。このような構成にしても上述した実施形態と同様の効果を得ることができる。また、この場合、デジタルカメラの設置角度をクレードル装置側で検出するようにしたので、前述した実施形態のようにデジタルカメラ側にジャイロセンサを設ける場合と比較して、デジタルカメラを小型化できる。なお、本例では前面を設置面に対向させた姿勢でデジタルカメラを設置する例で説明をしたが、例えば、底面を設置面に対向させた姿勢でデジタルカメラを設置してもよい。
【００６７】
また、デジタルカメラの設置角度に応じて動作モードを切り替える場合、設置状態においてデジタルカメラとクレードル装置とが互いに対向する対向部位を連結機構により連結するといったことも考えられる。この場合、例えば、図１１（Ａ）に示すように、クレードル装置３００の設置面３０２に設けられた凸部３０４と、同図（Ｂ）に示すように、デジタルカメラ３０６の前面に設けられた凹部３０８とから連結機構を構成する。
【００６８】
凸部３０４は、複数の突起が放射状に配列されたものであり、設置面３０２に回転自在に取り付けられる。凹部３０８は、凸部３０４の各突起のそれぞれに対応するように複数の溝が放射状に配列されたものであり、デジタルカメラ３０６の前面に固定され、デジタルカメラ３０６がクレードル装置３００に設置された際に凸部３０４と係合する。凸部３０４と凹部３０８とが係合することによってデジタルカメラ３０６とクレードル装置３００とが連結され、デジタルカメラ３０６が設置面３０２と平行な面内で凸部３０４を中心に回動自在に保持される。
【００６９】
設置面３０２には、充電マーク３１０、再生マーク３１２、通信マーク３１４、ＡＶ出力マーク３１６が設けられている。他方、デジタルカメラ３０６の側面には矢印マーク３１８が設けられている。デジタルカメラ３０６は、矢印マーク３１８が充電マーク３１０を指し示す充電角度、矢印マーク３１８が再生マーク３１２を指し示す再生角度、矢印マーク３１８が通信マーク３１４を指し示す通信角度、矢印マーク３１８がＡＶ出力マーク３１６を指し示すＡＶ出力角度の各設置角度間で回動される。そして、この回動に伴って凹部３０８と係合した凸部３０４が回動する。
【００７０】
クレードル装置３００は、凸部３０４の回転位置を検出することで、デジタルカメラ３０６の設置角度を検知する。この後、クレードル装置３００は、デジタルカメラ３０６が充電、再生、通信、ＡＶ出力のいずれの設置角度で設置されているかを示す設置角度情報を、無線通信部を介してデジタルカメラ３０６へ送信する。デジタルカメラ３０６は、送信され設置角度情報に応じ、充電角度にて設置されている場合は動作モードを充電モードに、再生角度にて設置されている場合は動作モードを再生モードに、通信角度にて設置されている場合は動作モードを通信モードに、ＡＶ出力角度にて設置されている場合は動作モードをＡＶ出力モードにそれぞれ切り替える。
【００７１】
このように、設置状態においてデジタルカメラとクレードル装置とを連結することによって、クレードル装置からデジタルカメラが滑り落ちるといった事故などを防止できる。また、充電、再生、通信、ＡＶ出力の各マーク及び矢印マークを設けたので、デジタルカメラの設置角度と選択される動作モードとの関係が分かりやすく便利である。なお、凸部の回転位置を検出することでデジタルカメラの設置角度を検知する例で説明をしたが、図８にて示したように複数のフォトセンサによりデジタルカメラの設置角度を検知してもよい。また、デジタルカメラとクレードル装置の連結部分にコネクタを設け、このコネクタを介してデジタルカメラとクレードル装置を電気的に接続し、電力の供給や各種情報の送受信を行ってもよい。
【００７２】
また、上記実施形態では、パイロットランプの発光色を切り替えることによってデジタルカメラの動作モードを報知する例で説明をしたが、パイロットランプの発光パターンを切り替えることによって動作モードの報知を行うようにしてもよい。さらに、通信モード下においてデータ通信を行っている間はパイロットランプを点灯から点滅へ切り替えたり、充電モード下において充電中はパイロットランプを点滅させ、充電が完了した際はパイロットランプを点灯させるといったように、各動作モード内においてパイロットランプの発光パターンを切り替えるといったことも考えられる。
【００７３】
なお、デジタルカメラの動作モードをスピーカからの音によって報知するようにしてもよい。この場合、デジタルカメラの動作モードに応じた、ビープ音や、音楽や、音声アナウンスなどをスピーカから再生すればよい。さらに、ＬＣＤにデジタルカメラの動作モードを報知する報知画面を表示するといったことも考えられる。
【００７４】
また、上述したパイロットランプやスピーカやＬＣＤなど、デジタルカメラの動作モードを報知するための報知手段をクレードル装置側に設けてもよい。この場合、デジタルカメラが現在の動作モードを表す信号を無線通信部を介してクレードル装置に送信し、この姿勢情報に基づいてクレードル装置が動作モードの報知を行うといったことや、デジタルカメラの姿勢をクレードル側で検知し、検知した姿勢で選択される動作モードをクレードル装置が報知するといったことが考えられる。
【００７５】
なお、上記実施形態では、デジタルカメラの設置姿勢または設置角度に応じ、デジタルカメラの動作モードを充電、通信、再生、ＡＶ出力の各モード間で切り替える例で説明をしたが、これ以外のモードに切り替えるようにしてもよい。さらに、上記実施形態では、パソコンやプリンタをクレードル装置に接続し、デジタルカメラはクレードル装置を介してパソコンやプリンタとの間でデータの送受信を行う例で説明をしたが、パソコンやプリンタを無線などにより直接デジタルカメラに接続してもよい。
【図面の簡単な説明】
【００７６】
【図１】カメラシステムの外観図である。
【図２】カメラシステムの外観図である。
【図３】デジタルカメラの設置姿勢を表す説明図である。
【図４】カメラシステムの構成図である。
【図５】動作モードの切り替え手順を表すフローチャートである。
【図６】カメラシステムの外観図である。
【図７】カメラシステムの外観図である。
【図８】カメラシステムの外観図である。
【図９】デジタルカメラの設置角度を表す説明図である。
【図１０】カメラシステムの構成図である。
【図１１】連結機構によりデジタルカメラとクレードル装置を連結する例を表す説明図である。
【符号の説明】
【００７７】
１０、１００、１５０、２００  カメラシステム
１２、１１２、１５２、２０６、３０６  デジタルカメラ
１４、１１４、１５４、２０２、３００  クレードル装置
２４  パイロットランプ
２８  ＬＣＤ
３０  スピーカ
４８、１４８、１５６、２０４、３０２  設置面
５０、２１６  ＣＰＵ
７９、９４  無線通信部
８６  電流検知回路
８８  姿勢検出部
１１６、１１８、１２０  ガイドマーク
１２２、１２４、３１０  充電マーク
１２６、１２８、３１４  通信マーク
１３０、１３２、３１２  再生マーク
１３４、１３６、３１６  ＡＶ出力マーク
１５８、１６０、１６２、１６４、１６６  コネクタ
２０８  設置角度検出用マーク
２１０ａ〜２１０ｄ  フォトセンサ
２１２  設置角度検出部
３０４  凸部
３０８  凹部
【図１】
2007028537.tif 000003
【図２】
2007028537.tif 000004
【図３】
2007028537.tif 000005
【図４】
2007028537.tif 000006
【図５】
2007028537.tif 000007
【図６】
2007028537.tif 000008
【図７】
2007028537.tif 000009
【図８】
2007028537.tif 000010
【図９】
2007028537.tif 000011
【図１０】
2007028537.tif 000012
【図１１】
2007028537.tif 000013